(57)【要約】【課題】  医療における被曝履歴の管理を容易とするとともに、ネットワーク接続されていない機器環境においても、被曝線量履歴データを閲覧可能とするＸ線画像診断装置、及び可搬記録媒体を提供する。【解決手段】  Ｘ線画像診断装置（Ｘ線ＣＴ装置１）は検査の都度、被曝線量履歴データを被曝線量履歴管理データベース１２７に蓄積する。システム制御装置１２４は被曝線量履歴ビューアアプリケーション（ビューア１２８）に従って、被曝線量履歴管理データベース１２７に記憶されている被曝線量履歴データ群を一覧表示する。システム制御装置１２４は可搬メディアＭ１にビューア１２８と被曝線量履歴データ群とを書き込む。外部端末２では、可搬メディアＭ１をメディアドライブ装置２０３にて読み取り、ビューア１２８を実行すれば、可搬メディアＭ１に記録されている被曝線量履歴データを表示できる。【選択図】図１
2010264163.tif 000002
【特許請求の範囲】
【請求項１】
Ｘ線を被検体に照射することにより被検体内部の画像を取得するＸ線画像診断装置であって、
各検査の都度、前記被検体に照射したＸ線の線量を、被曝線量履歴データとして被曝線量履歴データベースに蓄積して記憶する被曝線量履歴蓄積手段と、
前記被曝線量履歴データベースに記憶されている被曝線量履歴データを閲覧可能に表示させるための閲覧手段と、
前記被曝線量履歴データベースに記憶されている被曝線量履歴データの全部または一部と、コンピュータに読み込ませることにより前記閲覧手段を実現する閲覧用プログラムとを共に、同一の可搬記録媒体に記録する記録制御手段と、
を備えることを特徴とするＸ線画像診断装置。
【請求項２】
前記記録制御手段は、
当該Ｘ線画像診断装置によって取得した画像のうち、前記可搬記録媒体に記録する被曝線量履歴データに関連する画像を更に当該可搬記録媒体に記録することを特徴とする請求項１に記載のＸ線画像診断装置。
【請求項３】
前記被曝線量履歴データベースに記憶されている被曝線量履歴データのうち、前記可搬記録媒体への記録内容を指定する指定手段を備え、
前記記録制御手段は、前記指定手段により指定された記録内容を前記閲覧用プログラムと共に、前記可搬記録媒体に記録することを特徴とする請求項１に記載のＸ線画像診断装置。
【請求項４】
前記閲覧用プログラムは、コンピュータを、
複数の検査の被曝線量履歴データを一覧表示する際に、被曝線量に応じて各被曝線量履歴データを識別表示する識別表示手段として機能させるプログラムを、  更に含むことを特徴とする請求項１に記載のＸ線画像診断装置。
【請求項５】
前記閲覧用プログラムは、コンピュータを、
対象とする被検体について、その被検体の所定期間内での被曝線量及び所定の許容被曝線量の指標値に基づき、次の検査における推奨設定条件を算出し、提示する推奨設定条件提示手段として、機能させるプログラムを、
更に含むことを特徴とする請求項１に記載のＸ線画像診断装置。
【請求項６】
前記閲覧用プログラムは、コンピュータを、
入力された検索条件に従い、前記被曝線量履歴データを検索し、表示する検索手段として、機能させるプログラムを、
更に含むことを特徴とする請求項１に記載のＸ線画像診断装置。
【請求項７】
請求項１に記載のＸ線画像診断装置によって、
検査における被曝線量の履歴である被曝線量履歴データと、
当該被曝線量履歴データを閲覧可能に表示させるための閲覧用プログラムと、  が共に記録されたことを特徴とする可搬記録媒体。
【請求項８】
当該可搬記録媒体に記録される被曝線量履歴データは、一の被検体に関するものであることを特徴とする請求項７に記載の可搬記録媒体。
【請求項９】
当該可搬記録媒体には、更に、
前記被曝線量履歴データに関連する画像が記録されていることを特徴とする請求項７に記載の可搬記録媒体。
【請求項１０】
前記閲覧用プログラムは、コンピュータを、
新規被曝線量履歴データを当該可搬記録媒体に追記するための書込手段として機能させるプログラムを、
更に含むことを特徴とする請求項７に記載の可搬記録媒体。
【請求項１１】
前記書込手段は、更に、ユーザに応じた書き込み権限を設定することを特徴とする請求項１０に記載の可搬記録媒体。
【発明の詳細な説明】
【技術分野】
【０００１】
本発明は、医用画像撮影による被曝線量の管理に好適なＸ線画像診断装置及び可搬記録媒体に関する。
【背景技術】
【０００２】
従来より医療施設における被検体の診断のために、Ｘ線を用いて被検体内部を撮影するＸ線診断装置、Ｘ線透視撮影装置、Ｘ線ＣＴ（Ｃｏｍｐｕｔｅｄ  Ｔｏｍｏｇｒａｐｈｙ）装置等が利用されている。
また近年、医療被曝への関心が高まり、検査における被曝履歴を各医療機関または被検者個人が管理したいという要望が高まっている。
ところで、医療に関する情報の利用や管理に関する技術として、特許文献１には、被検者に関する画像やレポートの格納サーバのアドレス情報等を、被検者の申し送り情報として、Ｘ線ＣＴ装置にて可搬記録メディアに保存する技術が開示されている。
【先行技術文献】
【特許文献】
【０００３】
【特許文献１】特開２００７−２４１５５９号公報
【発明の概要】
【発明が解決しようとする課題】
【０００４】
しかしながら、上述の特許文献１では、申し送り情報を外部端末にて閲覧しようとする場合、その外部端末がネットワークを介してサーバに接続されている必要があった。そのため、診療所等のネットワーク接続されていない医療現場ではサーバ内の申し送り情報等を閲覧できなかった。
【０００５】
本発明は、以上の問題点に鑑みてなされたものであり、被曝履歴の管理を容易とするとともに、ネットワーク接続されていない機器環境においても、被曝線量履歴データを閲覧可能とするＸ線画像診断装置及び可搬記録媒体を提供することを目的とする。
【課題を解決するための手段】
【０００６】
前述した目的を達成するために、第１の発明は、Ｘ線を被検体に照射することにより被検体内部の画像を取得するＸ線画像診断装置であって、各検査の都度、前記被検体に照射したＸ線の線量を、被曝線量履歴データとして被曝線量履歴データベースに蓄積して記憶する被曝線量履歴蓄積手段と、前記被曝線量履歴データベースに記憶されている被曝線量履歴データを閲覧可能に表示させるための閲覧手段と、前記被曝線量履歴データベースに記憶されている被曝線量履歴データの全部または一部と、コンピュータに読み込ませることにより前記閲覧手段を実現する閲覧用プログラムとを共に、同一の可搬記録媒体に記録する記録制御手段と、を備えることを特徴とするＸ線画像診断装置である。
【０００７】
また、第２の発明は、第１の発明のＸ線画像診断装置によって、検査における被曝線量の履歴である被曝線量履歴データと、当該被曝線量履歴データを閲覧可能に表示させるための閲覧用プログラムと、が共に記録されたことを特徴とする可搬記録媒体である。
【発明の効果】
【０００８】
本発明のＸ線画像診断装置及び可搬記録媒体により、被曝履歴の管理を容易とするとともに、ネットワーク接続されていない機器環境においても、被曝線量履歴データを閲覧可能とできる。
【図面の簡単な説明】
【０００９】
【図１】Ｘ線ＣＴ装置１（Ｘ線画像診断装置）と外部端末２のハードウエア構成図
【図２】Ｘ線ＣＴ装置１における被曝線量履歴データの蓄積処理の流れを説明するシーケンス図
【図３】Ｘ線ＣＴ装置１における被曝線量履歴データ群の表示処理について説明するシーケンス図
【図４】Ｘ線ＣＴ装置１における被曝線量履歴データ群の表示画面の一例を示す図
【図５】被曝線量履歴データ群及びビューアアプリケーション１２８の可搬メディアＭ１への書き込み処理の流れを説明するシーケンス図
【図６】メディア保存項目の指定画面Ｗ１の一例を示す図
【図７】外部端末２における被曝線量履歴データ群の表示処理の流れを説明するシーケンス図
【図８】外部端末２における被曝線量履歴データ群の表示の一例を示す図
【図９】外部端末２における被曝線量履歴データ群の表示画面の一例を示す図（被検者番号を検索条件とした例）
【図１０】外部端末２における被曝線量履歴データ群の表示画面の一例を示す図（期間を検索条件とした例）
【図１１】被曝線量履歴データ表示項目の指定画面Ｗ２の一例
【図１２】指定された表示項目のみが表示された被曝線量履歴データ群の表示画面の一例
【図１３】第２の実施の形態における、可搬メディアＭ２への被曝線量履歴データ及び画像データの保存について説明する概念図
【図１４】Ｘ線ＣＴ装置１における被曝線量履歴データ及び画像データの書き込み処理の流れを説明するシーケンス図
【図１５】Ｘ線ＣＴ装置１または外部端末２における被曝線量履歴データ及び画像データの表示画面の一例を示す図
【図１６】Ｘ線ＣＴ装置１における被曝線量に応じた識別表示処理の流れを説明するシーケンス図
【図１７】識別表示された被曝線量履歴データ群の一覧の表示例を示す図
【図１８】Ｘ線ＣＴ装置１における被曝線量に基づく撮影条件上限値の提示処理の流れを説明するシーケンス図
【図１９】被曝線量に基づく撮影条件上限値の表示画面Ｗ４の一例を示す図
【発明を実施するための形態】
【００１０】
以下図面に基づいて、本発明の実施形態を詳細に説明する。
【００１１】
（第１の実施の形態）
まず、本発明に係るＸ線画像診断装置及び可搬記録媒体の構成について説明する。
【００１２】
本発明に係るＸ線画像診断装置は、Ｘ線ＣＴ装置、Ｘ線診断装置、Ｘ線透視撮影装置等、Ｘ線を被検体に照射することにより被検体内部の画像を撮影（取得）する装置である。以下、好適な実施例として、本発明に係るＸ線画像診断装置をＸ線ＣＴ装置１に適用した例を説明する。
【００１３】
また本発明の可搬記録媒体は、当該記録媒体に対応するドライブ装置やコンピュータ等を用いることにより、データの読み取り及び書き込みが可能な記録媒体であり、ユーザが自在に持ち運ぶことが可能なものである。例えば、ＣＤ（Ｃｏｍｐａｃｔ  Ｄｉｓｃ）、ＤＶＤ等の光ディスク、フロッピー（登録商標）ディスク等の磁気メモリ、ＩＣカード、メモリカード、ＵＳＢメモリ等の不揮発性の半導体メモリ等を含む。以下、これらの可搬記録媒体を可搬メディアＭ１、Ｍ２という。
【００１４】
図１は、Ｘ線ＣＴ装置１及び外部端末２のハードウエア構成を示す図である。
Ｘ線ＣＴ装置１と外部端末２とは、可搬メディアＭ１を介して被曝線量履歴データＤ１及びビューアアプリケーション１２８（閲覧用プログラム）を共有する。そのため、Ｘ線ＣＴ装置１及び外部端末２は、医師、技師、或いは被検者等が被曝線量履歴データＤ１を閲覧するために、特に通信設備を必要としない。
【００１５】
まず、Ｘ線ＣＴ装置１のハードウエア構成について説明する。
図１に示すように、Ｘ線ＣＴ装置１は、スキャナ１００、及び操作卓１２０を備える。
【００１６】
スキャナ１００は、Ｘ線源１０１、コリメータ１０２、寝台１０３、Ｘ線検出器１０４、データ収集装置１０５、Ｘ線制御装置１０６、及び寝台制御装置１０７を備えて構成される。
操作卓１２０は、入力装置１２１、画像演算装置１２２、記憶装置１２３、システム制御装置１２４、表示装置１２５、及びメディアドライブ装置１２６を備えて構成される。
【００１７】
Ｘ線ＣＴ装置１は、寝台１０３に固定される被検体３を、スキャナ１００の開口部に搬入してスキャンすることにより、被検体３を透過したＸ線データ（以下、透過Ｘ線データという）を取得する。スキャナ１００のＸ線管１０１はＸ線源であり、Ｘ線制御装置１０６により制御されて被検体３に対してＸ線を連続的または断続的に照射する。Ｘ線制御装置１０６は、操作卓１２０のシステム制御装置１２４により決定されたＸ線管電圧及びＸ線管電流に従って、Ｘ線管１０１に印加または供給するＸ線管電圧及びＸ線管電流を制御する。
【００１８】
コリメータ１０２は、Ｘ線管１０１から放射されたＸ線を、例えばファンビーム（扇形のビーム）等のＸ線として被検体３に照射させるものである。Ｘ線源１０１から照射され、コリメータ１０２を介して被検体３を透過したＸ線はＸ線検出器１０４に入射する。Ｘ線検出器１０４は、例えばシンチレータとフォトダイオードの組み合わせによって構成されるＸ線検出素子群をスキャナ周回方向に例えば１０００個程度、列方向（体軸方向）に例えば１〜３２０個程度配列したものであり、被検体３を介してＸ線管１０１に対向するように配置される。Ｘ線検出器１０４はＸ線管１０１から放射されて被検体３を透過したＸ線を検出し、検出した透過Ｘ線データをデータ収集装置１０５に出力する。
【００１９】
データ収集装置１０５は、Ｘ線検出器１０４の個々のＸ線検出素子により検出される透過Ｘ線データを収集する。収集された透過Ｘ線データは、操作卓１２０の画像演算装置１２２に出力される。
【００２０】
寝台１０３は、被検体３を載置する天板、及び天板を被検体体軸方向、左右方向、上下方向の各方向へ移動させる各移動機構を備え、寝台制御装置１０７の制御により天板が移動される。これにより、被検体３がスキャナ１００のＸ線照射空間の所定位置に搬入及び搬出される。
【００２１】
操作卓１２０の画像演算装置１２２は、データ収集装置１０５が収集した透過Ｘ線データを取得すると、その透過Ｘ線データに含まれる誤差やＸ線検出器のオフセット電圧補正、感度補正等の補正処理を施し、補正された透過Ｘ線データを用いて、スキャノグラム撮影時には、スキャノグラム像を作成し、本撮影時には、複数ビューの透過Ｘ線データを用いて断層像を再構成する。再構成されたスキャノグラム像または断層像等は、表示装置１２５に表示されるとともに、記憶装置１２３に記憶される。
【００２２】
表示装置１２５は、液晶パネル、ＣＲＴモニタ等のディスプレイ装置と、ディスプレイ装置と連携して表示処理を実行するための論理回路で構成され、システム制御装置１２４に接続される。表示装置１２５は画像演算装置１２２から出力される再構成画像やスキャノグラム像、並びにシステム制御装置１２４が取り扱う種々の情報を表示するものである。
【００２３】
記憶装置１２３は、ハードディスク等により構成されるものであり、システム制御装置１２４に接続される。記憶装置１２３には、データ収集装置１０５が収集した透過Ｘ線データや、画像演算装置１２２により再構成されたスキャノグラム像、断層像等が記憶される。また、これらのデータの他、Ｘ線ＣＴ装置１の機能を実現するためのプログラム、データ等を記憶する。
【００２４】
入力装置１２１は、例えば、キーボード、マウス等のポインティングデバイス、テンキー等の操作装置、及び各種スイッチボタン等により構成され、操作者によって入力される各種の指示や情報をシステム制御装置１２４に出力する。操作者は、表示装置１２５及び入力装置１２１を使用して対話的にＸ線ＣＴ装置１を操作する。
【００２５】
メディアドライブ装置１２６は、可搬メディアＭ１に対応するドライブ装置等であり、例えば、ＣＤドライブ、ＤＶＤドライブ、フロッピー（登録商標）ディスクドライブ、ＩＣカードリーダ／ライタ、メモリカードスロット、ＵＳＢポート等のドライブ装置またはスロット、ポート等のインターフェースを含む。メディアドライブ装置１２６は、システム制御装置１２４の制御にしたがって、可搬メディアＭ１に対してデータの書き込み及び読み出しを行う。
【００２６】
システム制御装置１２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。システム制御装置１２４は、操作卓１２０内の入力装置１２１、表示装置１２５、画像処理装置１２２、メディアドライブ装置１２６、及び記憶装置１２３等を制御する。また、システム制御装置１２４は、スキャナ１００内のＸ線検出器１０４、データ収集装置１０５、Ｘ線制御装置１０６、寝台制御装置１０７等を制御する。
【００２７】
また、本発明のＸ線ＣＴ装置１において、システム制御装置１２４は、スキャナ１００による撮影（検査）の都度、その検査における被曝線量に関するデータを被曝線量履歴管理データベース１２７に蓄積して記憶させる。被曝線量履歴管理データベース１２７は、操作卓１２０の記憶装置１２３に設けられる。被曝線量履歴管理データベース１２７に記憶される被曝線量に関するデータ（以下、被曝線量履歴データという）については、後述する。
【００２８】
また、システム制御装置１２４は、後述する被曝線量履歴ビューアアプリケーション１２８（以下、ビューア１２８と省略する）を起動し、実行する。
【００２９】
ここで、ビューア１２８は、被曝線量履歴管理データベース１２７に記憶されている被曝線量履歴データＤ１を閲覧可能に表示するためのプログラムである。このビューア１２８に係るプログラムを可搬メディアＭ１に記録すれば、外部に持ち出すことが可能である。
ビューア１２８の実行時には、当該ビューア１２８のプログラムはシステム制御装置１２４のＣＰＵにより呼び出され、ＲＡＭのワークメモリ領域に展開される。ＣＰＵは入力装置１２１等からの指示に応じた各種処理を、ビューア１２８のプログラムに従って実行する。なお、ビューア１２８は、Ｘ線ＣＴ装置１、外部端末２を含む種々の機器にて実行可能とするため、ＯＳ（オペレーションシステム）に依存しない形式で記述されることが好ましい。
【００３０】
Ｘ線ＣＴ装置１のシステム制御装置１２４は、ビューア１２８のプログラムと、被曝線量履歴管理データベース１２７に記憶されている被曝線量履歴データＤ１の一部または全部とを、可搬メディアＭ１に保存する機能を有する。
この可搬メディアＭ１への被曝線量履歴データＤ１等の保存機能は、ビューア１２８に含まれるものとしてもよいし、他のアプリケーションプログラムとして、Ｘ線ＣＴ装置１に搭載されているものとしてもよい。
【００３１】
また、ビューア１２８を起動することにより、システム制御装置１２４は、被曝線量履歴管理データベース１２７にアクセスして、被曝線量履歴データを表示装置１２５に表示させる。
これらの保存機能や表示機能については、後述する。
【００３２】
次に、外部端末２について説明する。
図１に示すように、外部端末２は、表示装置２０１、システム制御装置２０２、メディアドライブ装置２０３、入力装置２０４等を備えた、例えばコンピュータである。
【００３３】
外部端末２のシステム制御装置２０２は、ＣＰＵ、ＲＯＭ、ＲＡＭ等により構成される。ＣＰＵは、図示しない記憶部、ＲＯＭ、可搬メディアＭ１等の記録媒体等に格納されるプログラムをＲＡＭ上のワークメモリ領域に呼び出して実行し、バスを介して接続された各部を駆動制御する。
【００３４】
ＲＯＭは、コンピュータのブートプログラムやＢＩＯＳ等のプログラム、データ等を恒久的に保持する。ＲＡＭは、ロードしたプログラムやデータを一時的に保持するとともに、システム制御装置２０２が各種処理を行うために使用するワークエリアを備える。記憶部はハードディスク等であり、システム制御装置２０２が実行するプログラムや、プログラム実行に必要なデータ、ＯＳ等が格納されている。これらのプログラムコードは、システム制御装置２０２により必要に応じて読み出されてＲＡＭに移され、ＣＰＵに読み出されて実行される。
【００３５】
メディアドライブ装置２０３は、Ｘ線ＣＴ装置１におけるメディアドライブ装置１２６と同様に、可搬メディアＭ１に対応するドライブ装置である。メディアドライブ装置２０３は、システム制御装置２０２の制御にしたがって、可搬メディアＭ１に対してデータの読み出し及び書き込みを行う。
【００３６】
入力装置２０４は、例えば、キーボード、マウス等のポインティングデバイス、テンキー等の各種入力装置を含み、操作者によって入力される各種の指示や情報をシステム制御装置２０２に出力する。表示装置２０１は、ＣＲＴモニタ、液晶パネル等のディスプレイ装置、ディスプレイ装置と連携してコンピュータのビデオ機能を実現するための論理回路等（ビデオアダプタ等）を有し、システム制御装置２０２の制御にしたがって、所定の表示データをディスプレイ装置に表示する。
【００３７】
外部端末２は、Ｘ線ＣＴ装置１によって被曝線量履歴データ群及びビューア１２８が保存された可搬メディアＭ１を、メディアドライブ装置２０３にて読み取ることにより、ビューア１２８を実行することが可能となる。
【００３８】
外部端末２でビューア１２８が起動されると、システム制御装置２０２は、入力装置２０４からの入力指示にしたがって、可搬メディアＭ１に記憶されている被曝線量履歴データＤ１を表示装置２０１に表示させたり、新規被曝線量履歴データを可搬メディアＭ１に追加記憶させたりする。外部端末２における被曝線量履歴データＤ１の表示や新規被曝線量履歴データの追記については後述する。
【００３９】
次に、図２〜図１３を参照しながら、Ｘ線ＣＴ装置１及び外部端末２の動作について説明する。
【００４０】
まず、Ｘ線ＣＴ装置１における被曝線量履歴データＤ１の蓄積処理について、図２を用いて説明する。
Ｘ線ＣＴ装置１において、一連のスキャン（検査）が終了すると、システム制御装置１２４は、Ｘ線制御装置１０６に対して検査終了通知を送信する（ステップＳ１００）。Ｘ線制御装置１０６は、記憶装置１２６に備えられた被曝線量履歴管理データベース１２７に対して、被曝線量履歴データＤ１を送信する（ステップＳ１０１）。
【００４１】
被曝線量履歴データＤ１は、当該検査に関する、被検者番号、被検者名等の被検者情報、検査日付や検査時刻、計測時間、検査部位名等の検査情報、管電流値、管電圧値、ＡＥＣ（自動露出機能）のＯＮ／ＯＦＦ情報、スキャンタイプ、ＣＴＤＩｖｏｌ（Ｃｏｍｐｕｔｅｄ  Ｔｏｍｏｇｒａｐｈｙ  Ｄｏｅｓ  Ｉｎｄｅｘ）や、ＤＬＰ（Ｄｏｅｓ−Ｌｅｎｇｔｈ  Ｐｒｏｄｕｃｔ  ｆｏｒ  ａ  Ｃｏｍｐｌｅｔｅ  ｅｘａｍｉｎａｔｉｏｎ）等の被曝線量情報等を含む（図４参照）。
被曝線量履歴管理データベース１２７は、Ｘ線制御装置１０６から送信された被曝線量履歴データＤ１を保存する（ステップＳ１０２）。
【００４２】
この被曝線量履歴データＤ１の蓄積処理によって、操作者が特別の操作をしなくても、検査の都度、自動的に被曝線量履歴データを被曝線量履歴管理データベース１２７に保存できる。
【００４３】
次に、図３を参照して、Ｘ線ＣＴ装置１における被曝線量履歴データＤ１の表示処理について説明する。
操作者の操作によって、ビューア１２８がシステム制御装置１２４により起動されているものとする。
【００４４】
Ｘ線ＣＴ装置１において、入力装置１２１から被曝線量履歴データの表示指示があると、システム制御装置１２４は、被曝線量履歴管理データベース１２７に対して、被曝線量履歴データ群の読み出し指令を送信する（ステップＳ１１０）。被曝線量履歴データ群とは、蓄積された複数の被曝線量履歴データである。
被曝線量履歴管理データベース１２７は、読み出し指令に応じて、当該被曝線量履歴管理データベース１２７に記憶されている被曝線量履歴データ群を読み出し、システム制御装置１２４に送信する（ステップＳ１１１）。システム制御装置１２４は、受信した被曝線量履歴データ群の表示指令を表示装置１２５に対して送信する（ステップＳ１１２）。表示装置１２５は受信した表示指令に応じて、被曝線量履歴データ群を表示する（ステップＳ１１３）。
【００４５】
図４は、ビューアアプリ１２８における被曝線量履歴データ群の表示例である。
図４に示すように、表示装置１２５の表示画面には、検索条件入力エリアＫ１、被曝線量履歴の一覧表示エリアＣ１が設けられるとともに、検索開始ボタンＢ１、メディア作成開始ボタンＢ２、表示項目選択ボタンＢ３等の各種操作ボタンが表示される。
【００４６】
一覧表示エリアＣ１には、被曝線量履歴データ群が一覧表示される。全ての被曝線量履歴データの表示指令がある場合は、被曝線量履歴管理データベース１２７から読み出した全ての被曝線量履歴データが表示されるが、検索条件入力エリアＫ１に検索条件の入力があった場合は、入力された検索条件に合致したレコード（被曝線量履歴データ）のみが抽出されて表示される。また、表示項目選択ボタンＢ３の押下された場合には、別の表示項目選択ウィンドウＷ２（図１１参照）が開かれ、一覧表示エリアＣ１に表示させる項目を適宜選択できる。検索及び表示項目の選択については、後述する。
【００４７】
図４に示す例では、特に検索条件が入力されていないため、被曝線量履歴管理データベース１２７に記憶されている被曝線量履歴データ群が一覧表示エリアＣ１に全て表示される。
【００４８】
被曝線量履歴データは、１レコードに、例えば、被検者番号「１０００１００」、被検者氏名「ヤマダ  タロウ」、計測日時「０８／０７／１０」、計測時刻「１４：２８：４２」、計測時間「１０．０［ｓ］」、部位「頭部」、管電流値「２００［ｍＡ］」、管電圧値「１２０［ｋＶ］」、ＡＥＣ（自動露出機能）「ＯＦＦ」、スキャンタイプ「Ｎ」、ＣＴＤＩｖｏｌ「５０．０［ｍＧｙ］」、ＤＬＰ「７５０．０［ｍＧｙ・ｃｍ］」といった各項目の内容が表示される。
【００４９】
次に、図５を参照して、Ｘ線ＣＴ装置１における被曝線量履歴データとビューア１２８の可搬メディアＭ１への書き込み処理について説明する。
操作者の操作によって、ビューア１２８がシステム制御装置１２４により起動されているものとする。
【００５０】
Ｘ線ＣＴ装置１のシステム制御装置１２４は、入力装置１２１から可搬メディアＭ１への書き込み指示が入力されると、まず、被曝線量履歴管理データベース１２７に対して、被曝線量履歴データ群の読み出し指令を送信する（ステップＳ１２０）。被曝線量履歴管理データベース１２７は、被曝線量履歴データ群を読み出し、システム制御装置１２４へ送信する（ステップＳ１２１）。次に、システム制御装置１２４は、取得した被曝線量履歴データ群に対して、暗号化処理またはパスワード設定処理を行う（ステップＳ１２２）。この暗号化処理及びパスワード設定処理は、セキュリティ保護等の観点から行われるものである。パスワードは、操作者により任意に設定される。また、暗号化処理は、所望のセキュリティレベルに応じた暗号化アルゴリズムを用いるものとする。
【００５１】
システム制御装置１２４は、暗号化またはパスワードにより保護された被曝線量履歴データ群と、ビューア１２８（被曝線量履歴ビューアアプリケーション１２８）のプログラムとを、書き込み指令とともにメディアドライブ装置１２６に送信する（ステップＳ１２３）。メディアドライブ装置１２６は、挿入されている可搬メディアＭ１に対して被曝線量履歴データ群と、ビューア１２８のプログラムとを書き込む（ステップＳ１２４）。
【００５２】
可搬メディアＭ１へ書き込まれる被曝線量履歴データは、被曝線量履歴管理データベース１２７に記憶されている全ての被曝線量履歴データとしてもよいし、その一部のみとしてもよい。
被曝線量履歴データの一部を選択可能とするため、システム制御装置１２４は、ステップＳ１２０の前に、操作者の入力指示に従って図６に示すメディア保存項目の指定画面Ｗ１を表示装置１２５に表示させ、可搬メディアＭ１に保存する項目の選択を受け付けるようにしてもよい。
【００５３】
図６のメディア保存項目の指定画面Ｗ１には、「被検者番号」、「被検者名」、「ＡＥＣ  ＯＮ／ＯＦＦ」、「スキャンタイプ」等、被曝線量履歴データに含まれる各項目のチェックボックスが表示される。チェックボックスにチェックが入力されると、その項目は保存される。被曝線量履歴データに含まれる項目のうち、指定画面Ｗ１にない項目については、常に保存されるものとする。
なお、図６の指定画面Ｗ１に示す選択項目は一例であり、この内容に限定されない。特に、正確な被曝線量データの管理のために、計測時間、管電流値、管電圧値、ＣＴＤＩｖｏｌ、ＤＬＰといった被曝線量に直接関係する項目については、必ず保存されることが望ましい。
【００５４】
また、図５の可搬メディアＭ１への書き込み処理において、被検者を特定し、その被検者に関する被曝線量履歴データのみを可搬メディアＭ１に保存するようにしてもよい。
【００５５】
一の被検者を特定し、その被検者についての被曝線量履歴データのみをビューア１２８のプログラムとともに可搬メディアＭ１に保存するようにすれば、当該可搬メディアＭ１を、個人用の被曝線量管理メディアとして利用することが可能となる。すなわち、従来より個人に頒布されている薬手帳（紙媒体）のように、被曝線量について個人が管理するメディアとして利用できる。例えば、被検者が自己の被曝線量履歴データが格納された可搬メディアＭ１を、既に検査を行った病院とは異なる病院等に持っていき、医師のＰＣ（外部端末２）でその可搬メディアＭ１を読み込み、保存されているビューア１２８を起動し、保存されている被曝線量履歴データを参照しながら、別の検査の計画を立てたりすることが可能となる。また、被検者が自己のＰＣ（外部端末２）で被曝線量履歴データを自由に閲覧することも可能となる。
【００５６】
また、複数の被曝線量履歴データを可搬メディアＭ１に保存する場合には、医療機関における各Ｘ線画像診断装置の照射線量管理を、管理者のＰＣ等で一括して行うことができ、利便性が向上する。
【００５７】
次に図７〜図１２を参照して、外部端末２における被曝線量履歴データ群の表示処理について説明する。
図７のシーケンス図に示すように、まず、外部端末２のメディアドライブ装置２０３に可搬メディアＭ１が挿入されると、メディアドライブ装置２０３は、可搬メディアＭ１に記録されている情報を読み込み、その情報をシステム制御装置２０２に送信する（ステップＳ１３０）。
システム制御装置２０２は、ステップＳ１３０で受信した可搬メディアＭ１の情報から被曝線量履歴データ群の読み出し指令をメディアドライブ装置２０３に対し、送信する（ステップＳ１３１）。
【００５８】
メディアドライブ装置２０３は、被曝線量履歴データ群の読み出し指令に従って、被曝線量履歴データ群を読み出し、システム制御装置２０２に送信する（ステップＳ１３２）。メディアドライブ装置２０３に保存されている被曝線量履歴データ群は、パスワードまたは暗号化処理によって保護された状態である。
【００５９】
次に、システム制御装置２０２は、パスワードまたは暗号化による保護を解除するためのパスワード入力画面の表示指令を表示装置２０１に送信する（ステップＳ１３３）。表示装置２０１は、表示指令に応じて、パスワード入力画面を表示する（ステップＳ１３４）。
【００６０】
パスワード入力画面において、入力装置２０４からパスワードが入力され、システム制御装置２０１に送信されると（ステップＳ１３５）、システム制御装置２０２は、設定されているパスワードと入力されたパスワードの照合を行い（ステップＳ１３６）、パスワードが一致する場合は、被曝線量履歴データ群のパスワードロックを解除、または復号処理する（ステップＳ１３７）。
【００６１】
その後、システム制御装置２０２は、表示装置２０１に対して、保護が解除された被曝線量履歴データ群の表示指令を表示装置２０１に送信し（ステップＳ１３８）、表示装置２０１は、表示指令に応じて、被曝線量履歴データ群を一覧表示する（ステップＳ１３９）。
【００６２】
図８は、外部端末２において表示される被曝線量履歴データの一例である。図８に示す被曝線量履歴データは、Ｘ線ＣＴ装置１において保存された被曝線量履歴データと同一のものである（図４参照）。また、表示画面には、図４と同様に、被曝線量履歴データ表示エリアＣ１、検索条件入力エリアＫ１、メディア作成開始ボタンＢ２、表示項目選択ボタンＢ３が設けられる。
【００６３】
図９に示すように、検索条件入力エリアＫ１の被検者番号入力欄１１に、「１０００１００」が入力され、検索開始ボタンＢ１が押下されると、システム制御装置２０２は、可搬メディアＭ１に保存されている被曝線量履歴データ群の中から、該当する被検者番号に関する被曝線量履歴データを抽出し、表示する。
【００６４】
また、図１０に示すように、検索条件入力エリアＫ１の期間指定検索欄１３に期間が入力された場合は、システム制御装置２０２は、その期間内に行われた検査についての被曝線量履歴データを抽出し、表示する。
図１０の例では、被曝線量履歴データの、「計測日付」が、開始日付「０８／０４／０１」〜終了日付「０８／０７／３１」の期間に該当する検査が抽出され、表示されている。
【００６５】
外部端末２における表示処理において、表示項目を操作者が指定して表示させることも可能である。
この場合、図７のステップＳ１３０〜Ｓ１３９の表示処理に先立ち、システム制御装置２０２は、図１１に示すような表示項目指定画面Ｗ２を表示装置２０１に表示させ、表示項目の指定を受け付ける。
表示項目指定画面Ｗ２には、例えば、「被検者番号」、「被検者名」、「検査日付」、「検査時刻」、「検査時間」、「検査部位」、「管電流値」、「管電圧値」、「ＡＥＣ  ＯＮ／ＯＦＦ」、「スキャンタイプ」等の指定可能な各項目のチェックボックスが表示される。
なお、被曝線量に関する項目「ＣＴＤＩｖｏｌ」や「ＤＬＰ」については、必ず表示されることが望ましいため、この例のように、指定可能な項目に含まない方がよい。
【００６６】
操作者の操作によって、表示させたい項目のチェックボックスに対し、チェックが入力され、「ＯＫ」ボタンが押下されると、チェックが入力された項目のみが被曝線量履歴データ表示エリアＣ１に表示される。
【００６７】
図１２は、図１１の表示項目指定画面Ｗ２において、「被検者番号」、「被検者名」、「検査日付」、「検査時刻」、「検査時間」、「検査部位」、「管電流値」、「ＡＥＣ  ＯＮ／ＯＦＦ」が指定された場合の被曝線量履歴データの表示例である。
このように、表示項目を指定可能とすることにより、操作者は所望の項目のみを効率よく閲覧できるようになる。
【００６８】
また、可搬メディアＭ１に被曝線量履歴データを書き込んだＸ線ＣＴ装置１とは異なる他のＸ線ＣＴ装置１Ｂ（不図示）にて、別の検査を行った場合には、同一の可搬メディアＭ１に、他のＸ線ＣＴ装置１Ｂにおける検査の新規被曝線量履歴データＤ２を追加して記録することが好ましい。
【００６９】
新規被曝線量履歴データＤ２の追記は、他のＸ線ＣＴ装置１Ｂからの書き込み（図２参照）、またはＰＣ（外部端末２）の入力装置からのデータ入力による書き込みのいずれとしてもよい。他のＸ線ＣＴ装置１Ｂから新規被曝線量履歴データを書き込む場合には、他人（可搬メディアＭ１の所有者以外）の被曝線量履歴データが誤って可搬メディアＭ１に書き込まれないように、被検者情報の照会処理等を行ってからデータを書き込むようにすることが望ましい。
【００７０】
また、新規被曝線量履歴データＤ２の追記は、被検者個人が行うものとはしないで、医師や技師等、新規被曝線量履歴データの追記に関して正当な権限を有する者のみが行えるように書き込み権限の制限を設けることが望ましい。
例えば、医師や技師のパスワードでビューア１２８にアクセスした場合には、新規被曝線量履歴データＤ２の書き込みを許可し、その他のパスワードでアクセスした場合には被検者本人であっても書き込み不可とする。
【００７１】
以上説明したように、第１の実施の形態において、Ｘ線ＣＴ装置１は、検査の都度、その検査の被曝線量（ＣＴＤＩｖｏｌ、ＤＬＰ等）を被検者情報や検査情報等とともに被曝線量履歴データとして被曝線量履歴管理データベース１２７に蓄積して記憶しておく。
そのため、被曝線量履歴データが自動的に保存されるため、被曝線量の管理が容易となる。
【００７２】
また、Ｘ線ＣＴ装置１は、ビューア１２８を有しており、システム制御装置１２４がビューア１２８を起動することにより、被曝線量履歴管理データベース１２７の内容がＸ線ＣＴ装置１にて閲覧可能となる。更に、Ｘ線ＣＴ装置１のシステム制御装置１２４は、被曝線量履歴データとビューア１２８のプログラムとを同一の可搬メディアＭ１に書き込む処理を行う。可搬メディアＭ１に書き込まれる被曝線量履歴データは、被曝線量履歴管理データベース１２７に記憶されている被曝線量履歴データ群の全てとしてもよいし、一部としてもよい。
【００７３】
このように、可搬メディアＭ１内に被曝線量履歴データと、それを閲覧するためのビューア１２８とが記録されているため、可搬メディアＭ１に対応するメディアドライブ装置を有する外部端末であれば、特にネットワーク接続環境がなくても被曝線量履歴データを閲覧できる。そのため、小規模な診療所等、通信設備の整っていない機器環境でも、被曝線量の履歴を閲覧したり、追記したりできるようになり、被曝線量履歴の管理に関し、使い勝手の良い仕組みを提供できる。
【００７４】
また、可搬メディアＭ１に被曝線量履歴データやビューア１２８を書き込む際に、パスワードロックを設定したり、暗号化処理したりするので、被検者個人の情報を有効に保護できる。
【００７５】
なお、上述の第１の実施の形態では、Ｘ線ＣＴ装置１を本発明のＸ線画像診断装置の具体例としているため、被曝線量に関するデータは、「ＣＴＤＩｖｏｌ」や「ＤＴＩ」といった値を取得しているが、他の値を取得するようにしてもよい。また、医用画像機器に関する規格（例えばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ等）が整備された場合には、その規格に準拠するデータ項目の中から被曝線量データに関する項目を取得するようにすれば、標準的なＸ線画像診断装置の多くから被曝線量履歴データを容易に取得できるため、より適切な被曝線量管理を行えるようになる。
【００７６】
（第２の実施の形態）
次に、図１３〜図１５を参照して、第２の実施の形態のＸ線画像診断装置（Ｘ線ＣＴ装置１）、及び可搬メディアＭ２について、説明する。
【００７７】
第２の実施の形態のＸ線ＣＴ装置１は、第１の実施の形態と同様に、被曝線量履歴データ及びビューア１２８を可搬メディアＭ２に書き込むとともに、被曝線量履歴データに関連する画像データも可搬メディアＭ２に書き込む。可搬メディアＭ２は、第１の実施の形態の可搬メディアＭ２と同様に、対応するドライブ装置やコンピュータ等を用いることにより、データの読み取り及び書き込みが可能な記録媒体であり、ユーザが自在に持ち運ぶことが可能なものである。
以下の説明において、第１の実施の形態のＸ線ＣＴ装置１と同一の各部は、同一の符号を付すものとし、詳細な説明を省略する。
【００７８】
図１３に示すように、Ｘ線ＣＴ装置１の記憶装置１２３には、被曝線量履歴管理データベース１２７とともに、画像データ群１２９が記憶されている。画像データ群１２９には、Ｘ線ＣＴ装置１で撮影した断層像やスキャノグラム画像等が含まれる。なお、画像データは検査毎に管理される。すなわち、各検査の被曝線量履歴データと画像データとが関連付けられているものとする。
【００７９】
Ｘ線ＣＴ装置１のシステム制御装置１２４は、被曝線量履歴管理データベース１２７に記憶されている被曝線量履歴データ群の全てまたは一部と、その被曝線量履歴データに関連付けられた画像データとを読み出し、暗号化・パスワード設定処理等のセキュリティ保護処理を行い、パスワード設定情報等、被曝線量履歴ビューアアプリケーション（ビューア）１２８とともに、可搬メディアＭ２に保存する。
【００８０】
図１４を参照して、被曝線量履歴データ、画像データ、及びビューア１２８の可搬メディアＭ２への書き込み処理について説明する。
まず、操作者の操作によって、ビューア１２８がシステム制御装置１２４により起動されているものとする。
【００８１】
Ｘ線ＣＴ装置１のシステム制御装置１２４は、入力装置１２１から可搬メディアＭ２への書き込み指示が入力されると、記憶装置１２３に対して、被曝線量履歴データ群、画像データ群の読み出し指令を送信する（ステップＳ２２０）。記憶装置１２３は、被曝線量履歴管理データベース１２７から被曝線量履歴データ群を読み出すとともに、各被曝線量履歴データに関連する画像データ群を読み出し、システム制御装置１２４へ送信する（ステップＳ２２１）。次に、システム制御装置１２４は、取得した被曝線量履歴データ群及び画像データ群に対して、暗号化処理またはパスワード設定処理を行う（ステップＳ２２２）。
【００８２】
システム制御装置１２４は、暗号化またはパスワードにより保護された被曝線量履歴データ群及び画像データ群と、ビューア１２８（被曝線量履歴ビューアアプリケーション１２８）のプログラムとを、書き込み指令とともにメディアドライブ装置１２６に送信する（ステップＳ２２３）。メディアドライブ装置１２６は、挿入されている可搬メディアＭ２に対して、被曝線量履歴データ群、画像データ群、及びビューア１２８のプログラムを書き込む（ステップＳ２２４）。
【００８３】
第２の実施の形態においても、第１の実施の形態と同様に、可搬メディアＭ２へ書き込まれる被曝線量履歴データは、被曝線量履歴管理データベース１２７に記憶されている全ての被曝線量履歴データとしてもよいし、その一部のみとしてもよい。この場合、図６に示すメディア保存項目の指定画面Ｗ１を表示装置１２５に表示させ、可搬メディアＭ２に保存する項目の選択を受け付けるようにすればよい。また、メディア保存項目の指定画面Ｗ１にて、画像データを保存するか否かを選択するようにしてもよい。
【００８４】
可搬メディアＭ２に書き込まれた被曝線量履歴データや画像データは、第１の実施の形態と同様に、外部端末２にて閲覧可能となる。
外部端末２における表示処理の流れは、図７に示すシーケンス図と同様である。ただし、図７のシーケンス図のステップＳ１３０の可搬メディアＭ１は「可搬メディアＭ２」とし、ステップＳ１３１、ステップＳ１３２、ステップＳ１３７、ステップＳ１３８、ステップＳ１３９の「被曝線量履歴データ群」は「被曝線量履歴データ群及び画像データ群」とする。
【００８５】
すなわち、外部端末２のメディアドライブ装置２０３に可搬メディアＭ１が挿入されると、メディアドライブ装置２０３は、可搬メディアＭ２に記録されている情報を読み込む。システム制御装置２０２は、可搬メディアＭ２から被曝線量履歴データ群及び画像データ群をメディアドライブ装置２０３に読み取らせる。メディアドライブ装置２０３は、被曝線量履歴データ群及び画像データ群を読み出し、システム制御装置２０２に送信する。次に、システム制御装置２０２は、パスワード入力画面を表示装置２０１に表示させる。パスワード入力画面においてパスワードが入力されると、システム制御装置２０２は、設定されているパスワードと入力されたパスワードの照合を行い、パスワードが一致する場合は、被曝線量履歴データ群及び画像データ群のパスワードロックを解除、または復号処理する。その後、システム制御装置２０２は、表示装置２０１に保護が解除された被曝線量履歴データ群及び画像データ群を送信し、表示させる。
【００８６】
図１５は、外部端末２において表示される被曝線量履歴データ群及び画像データ群の一例である。図１５に示す被曝線量履歴データは、ここでは被検者氏名「ヤマダ  タロウ」に関するものである。また、表示画面には、被曝線量履歴データ表示エリアＣ１、検索条件入力エリアＫ１、表示項目選択ボタンＢ３、メディア作成開始ボタンＢ２に加え、画像データ表示エリアＣ２が設けられる。画像データ表示エリアＣ２には、可搬メディアＭ２に記憶されている画像が表示される。
【００８７】
可搬メディアＭ２に記憶されている画像データがすべてサムネイル表示されるようにしてもよいし、被曝線量履歴データ表示エリアＣ１に表示されている被曝線量履歴データの一覧から、選択された検査に関する画像データのみが、画像データ表示エリアＣ２に表示するようにしてもよい。
【００８８】
第２の実施の形態についても、第１の実施の形態と同様に、図１０に示すような検索表示処理を行ったり、図１１に示すような表示項目指定画面Ｗ２を表示装置２０１に表示させ、表示項目の指定を受け付けるようにすることが好ましい。
【００８９】
以上説明したように、第２の実施の形態のＸ線ＣＴ装置１及び可搬メディアＭ２によれば、被曝線量履歴データ群と、この被曝線量履歴データ群に関連する画像データ群を、ビューア１２８とともに可搬メディアＭ２に保存することが可能となる。
【００９０】
したがって、ネットワーク接続環境のない外部端末２においても、被曝線量データとそれに関連する画像データとが閲覧可能となり、被曝線量管理メディアとしての利便性が向上する。
例えば、被検者が自分の被曝線量履歴データと画像データとが書き込まれた可搬メディアＭ２を、検査をした病院とは異なる他の診療所に持ち込み、医師のＰＣ（外部端末２）にて、被曝線量履歴データを参照しつつ、ＣＴ検査の画像等を確認できるため、セカンドオピニオンとして別の医師の診断を仰いだり、今後の検査の計画について助言を受けたりすることも可能となる。
【００９１】
更に、他のＸ線ＣＴ装置にて新たな検査を行った場合には、可搬メディアＭ２に、新規被曝線量履歴データ及び新規画像データを追記することが好ましい。新規被曝線量履歴データ及び新規画像データを追記に関しては、他のＸ線ＣＴ装置１Ｂからの書き込み（図２参照）、またはＰＣ（外部端末２）の入力装置からのデータ入力による書き込みのいずれとしてもよい。他のＸ線ＣＴ装置１Ｂから被曝線量履歴データ及び画像データを書き込む場合には、他人（可搬メディアＭ２の所有者以外）の被曝線量履歴データ及び画像データが誤って可搬メディアＭ２に書き込まれないように、被検者情報の照会処理等を行ってから被曝線量履歴データ及び画像データを書き込むようにすることが望ましい。
【００９２】
（第３の実施の形態）
次に、図１６〜図１７を参照して、第３の実施の形態について、説明する。
第３の実施の形態のビューア１３０は、第１の実施の形態のビューア１２８の機能に加え、被曝線量履歴データを表示する際に、被曝線量に応じた識別表示を行う機能を有する。
以下の説明において、第１または第２の実施の形態のＸ線ＣＴ装置１と同一の各部は、同一の符号を付すものとし、詳細な説明を省略する。
【００９３】
図１６は、第３の実施の形態のビューア１３０が実行する識別表示処理を説明するシーケンス図である。
図１６に示すように、Ｘ線ＣＴ装置１のシステム制御装置１２４は、図３のステップＳ１１０〜ステップＳ１１１と同様に、入力装置１２１から被曝線量履歴データの表示指示があると、被曝線量履歴管理データベース１２７に対して、被曝線量履歴データ群の読み出し指令を送信する（ステップＳ３００）。被曝線量履歴管理データベース１２７は、読み出し指令に応じて、当該被曝線量履歴管理データベース１２７に記憶されている被曝線量履歴データ群を読み出し、システム制御装置１２４に送信する（ステップＳ３０１）。
システム制御装置１２４は、受信した被曝線量履歴データ群のうち、被曝線量に関連する項目の値や、被曝線量履歴データから求められる値について、所定の閾値より大きいか否かを判定する（ステップＳ３０２）。
【００９４】
ここで、被曝線量の判定対象とする値は、例えば、「ＣＴＤＩｖｏｌ」や「ＤＬＰ」等の値である。また、閾値は検査部位毎に設定される。閾値は操作者が設定してもよいし、予めビューア１３０に設定された値としてもよい。また、閾値は、「安全」、「やや危険」、「危険」のように、被曝線量のレベルに応じて複数設定されるものとしてもよい。
【００９５】
システム制御装置１２４は、ステップＳ３０２の処理による各被曝線量履歴データの閾値判定が終了すると、その判定結果とともに被曝線量履歴データ群を表示装置１２５に送信する（ステップＳ３０３）。表示装置１２５は、閾値判定結果に応じて各被曝線量履歴データを異なる表示形式で表示する（ステップＳ３０４）。例えば、安全レベルが、「危険」レベルと判定された被曝線量履歴データを赤で表示し、「やや危険」レベルと判定された被曝線量履歴データを黄色で表示する等、色分け表示を行ったり、所定の閾値を超えている被曝線量履歴データを反転表示させたり、太字表示を行ったりして、他の被曝線量履歴データから識別できるように表示する。
【００９６】
図１７に示す例では、被検者番号「１０００１０４」のレコードと、被検者番号「１０００１０２」のレコードとが、斜線や網掛けといった模様を用いて識別表示されている。
【００９７】
以上説明したように、ビューア１３０によって、被曝線量履歴データ群を一覧表示する際に、被曝線量に応じた識別表示を行うことにより、操作者は簡単に被曝線量の多い検査を確認できる。
【００９８】
なお、この第３の実施の形態のビューア１３０は、第１の実施の形態または第２の実施の形態と同様に、可搬メディアＭ１（またはＭ２）に被曝線量履歴データとともに書き込まれ、必要に応じて関連する画像データもともに書き込まれる。したがって、Ｘ線ＣＴ装置１、外部端末２のいずれにおいても、上述のビューア１３０による、被曝線量に応じた識別表示処理が実行可能である。
【００９９】
（第４の実施の形態）
次に、図１８〜図１９を参照して、第４の実施の形態のビューア１３１について説明する。
第４の実施の形態において、ビューア１３１は、第１または第２の実施の形態のビューア１２８の機能に加え、被曝線量に関する撮影条件の上限値を提示する機能を有する。
以下の説明において、第１、第２、または第３の実施の形態のＸ線ＣＴ装置１等と同一の各部は、同一の符号を付すものとし、詳細な説明を省略する。
【０１００】
図１８は、第４の実施の形態のビューア１３１が実行する撮影条件提示処理を説明するシーケンス図である。
【０１０１】
図１８に示すように、Ｘ線ＣＴ装置１のシステム制御装置１２４は、入力装置１２１から被曝線量履歴データの表示指示があると、被曝線量履歴管理データベース１２７に対して、被曝線量履歴データ群の読み出し指令を送信する（ステップＳ４００）。この読み出し指令は、一の被検者を指定して行う。被曝線量履歴管理データベース１２７は、読み出し指令に応じて、指定された被検者についての被曝線量履歴データ群を読み出し、システム制御装置１２４に送信する（ステップＳ４０１）。
システム制御装置１２４は、受信した被曝線量履歴データ群に基づいて、撮影条件の上限値を算出する（ステップＳ４０２）。
【０１０２】
ここで、撮影条件の上限値の算出について説明する。
国際放射線防護委員会（ＩＣＲＰ）によれば、年間の許容被曝限度を、実効線量で、職業人は５０ｍＳｖ／年、一般公衆は、１ｍＳｖ／年と定めている。以下、一例として、ＩＣＰＲにより提示された許容被曝限度を、許容被曝線量の指標値として用いることとする。
【０１０３】
システム制御装置１２４は、被曝線量履歴データに基づいて、現在から所定期間内（例えば過去１年間）の実効線量を算出する。Ｘ線の放射線荷重係数は１なので、１Ｇｙ＝１Ｓｖである。
システム制御装置１２４は、算出した実効線量と許容被曝線量の指標値とから、次の検査で許容できる線量を算出し、検査部位または所望の画質に応じた管電流値や管電圧値等、撮影条件の上限値（推奨設定条件）を算出する。
システム制御装置１２４は、ステップＳ４０２の処理による撮影条件の上限値を算出すると、その算出結果を表示装置１２５に送信する（ステップＳ４０３）。表示装置１２５は、撮影条件の上限値（推奨設定条件）を表示する（ステップＳ４０４）。
【０１０４】
図１９は、推奨設定条件の提示画面Ｗ４の一例である。
図１９に示すように、表示画面Ｗ４には、「ヤマダ  タロウさんの現在の撮影条件の上限値」として、頭部、腹部、頸部、胸部、下肢、等の各部位について、管電流値や管電圧値等の推奨設定条件が表示される。
【０１０５】
以上説明したように、ビューア１３１によって、次の検査での撮影条件の上限値を被曝線量履歴データ及び許容被曝線量の指標値に基づいて算出し、次の検査における推奨設定条件として提示できる。そのため、検査技師等は提示された推奨設定条件を参考にして、Ｘ線ＣＴ装置１の撮影条件を設定できるようになる。また、被検者にとっても、次に行う検査の被曝線量について具体的な設定値を確認できるため、特に放射線についての知識がなくても、検査による影響に注意を払いやすくなる。
【０１０６】
なお、この第４の実施の形態のビューア１３１は、第１の実施の形態または第２の実施の形態と同様に、可搬メディアＭ１（またはＭ２）に被曝線量履歴データとともに書き込まれ、必要に応じて関連する画像データもともに書き込まれる。したがって、Ｘ線ＣＴ装置１、外部端末２のいずれにおいても、上述のビューア１３１による、被曝線量に基づく、撮影条件の上限値の提示処理が実行可能である。
【０１０７】
以上、添付図面を参照しながら、本発明に係る画像処理装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０８】
１・・・Ｘ線ＣＴ装置（Ｘ線画像診断装置）
１００・・・スキャナ
１０１・・・Ｘ線管
１０２・・・コリメータ
１０３・・・寝台
１０４・・・Ｘ線検出器
１０５・・・データ収集装置
１０６・・・Ｘ線制御装置
１０７・・・寝台制御装置
１２０・・・操作卓
１２１・・・入力装置
１２２・・・画像演算装置
１２３・・・記憶装置
１２４・・・システム制御装置
１２５・・・表示装置
１２６・・・メディアドライブ装置
１２７・・・被曝線量履歴管理データベース
１２８・・・被曝線量履歴ビューアアプリケーション
２・・・外部端末
２０１・・・外部端末の表示装置
２０２・・・外部端末のシステム制御装置
２０３・・・外部端末のメディアドライブ装置
２０４・・・外部端末の入力装置
Ｍ１・・可搬メディア（可搬記録媒体）
Ｗ１・・・・メディア保存項目の指定画面
Ｗ２・・・・被曝線量履歴データ表示項目の指定画面
１２９・・・画像データ群
Ｍ２・・・・可搬メディア（可搬記録媒体；第２の実施形態）
１３０、１３１・・・被曝線量履歴ビューアアプリケーション（第３、第４の実施形態）
【図１】
2010264163.tif 000003
【図２】
2010264163.tif 000004
【図３】
2010264163.tif 000005
【図４】
2010264163.tif 000006
【図５】
2010264163.tif 000007
【図６】
2010264163.tif 000008
【図７】
2010264163.tif 000009
【図８】
2010264163.tif 000010
【図９】
2010264163.tif 000011
【図１０】
2010264163.tif 000012
【図１１】
2010264163.tif 000013
【図１２】
2010264163.tif 000014
【図１３】
2010264163.tif 000015
【図１４】
2010264163.tif 000016
【図１５】
2010264163.tif 000017
【図１６】
2010264163.tif 000018
【図１７】
2010264163.tif 000019
【図１８】
2010264163.tif 000020
【図１９】
2010264163.tif 000021